(57)【要約】【課題】スネアループがシース内に引き込まれた時に弾性ワイヤが先端側曲がり部付近で塑性変形を起こさず、使用を繰り返してもスネアループの広がりが縮小しない耐久性の優れた内視鏡用スネアを提供すること。【解決手段】一対の弾性ワイヤ３を先端と基端とで各々相互に固着して中間部分を曲げて形成されたスネアループ１０が操作ワイヤ２の先端に連結され、操作ワイヤ２を軸線方向に進退操作することによりスネアループ１０が可撓性シース１の先端内に出入りして、スネアループ１０が可撓性シース１外では自己の弾性によって膨らみ、可撓性シース１内に引き込まれることにより弾性変形して窄まるようにした内視鏡用スネアにおいて、スネアループ１０を構成する一対の弾性ワイヤ３を、先端側の固着部においてスネアループ１０の膨縮面に対して交差する方向に隣接する位置関係で相互に固着した。【選択図】      図１
2005130965.tif 000002
【特許請求の範囲】
【請求項１】
可撓性シース内に軸線方向に進退自在に操作ワイヤが挿通配置されて、一対の弾性ワイヤを先端と基端とで各々相互に固着して中間部分を曲げて形成されたスネアループが上記操作ワイヤの先端に連結され、上記操作ワイヤを軸線方向に進退操作することにより上記スネアループが上記可撓性シースの先端内に出入りして、上記スネアループが上記可撓性シース外では自己の弾性によって膨らみ、上記可撓性シース内に引き込まれることにより弾性変形して窄まるようにした内視鏡用スネアにおいて、
上記スネアループを構成する一対の弾性ワイヤを、先端側の固着部において上記スネアループの膨縮面に対して交差する方向に隣接する位置関係で相互に固着したことを特徴とする内視鏡用スネア。
【請求項２】
上記一対の弾性ワイヤが、先端側の固着部において上記スネアループの膨縮面に対して略直交する方向に隣接する位置関係で相互に固着されている請求項１記載の内視鏡用スネア。
【請求項３】
上記一対の弾性ワイヤのうち一方の弾性ワイヤの最先端部分が、上記スネアループの膨縮面に対して交差する方向に折り曲げられている請求項１又は２記載の内視鏡用スネア。
【発明の詳細な説明】
【技術分野】
【０００１】
この発明は、内視鏡の処置具挿通チャンネルに通されて粘膜切除術等を行うために用いられる内視鏡用スネアに関する。
【背景技術】
【０００２】
内視鏡用スネアは一般に、可撓性シース内に軸線方向に進退自在に操作ワイヤが挿通配置されて、一対の弾性ワイヤを先端と基端とで各々相互に固着して中間部分を曲げて形成されたスネアループが操作ワイヤの先端に連結され、操作ワイヤを軸線方向に進退操作することによりスネアループが可撓性シースの先端内に出入りして、スネアループが可撓性シース外では自己の弾性によって膨らみ、可撓性シース内に引き込まれることにより弾性変形して窄まるようになっている（例えば、特許文献１）。
【特許文献１】特開２０００−８３９６３
【発明の開示】
【発明が解決しようとする課題】
【０００３】
図１１は、上述のような従来の内視鏡用スネアの先端部分において、スネアループ１０を可撓性シース１の先端から少し引き出した状態を示す斜視図であり、２は操作ワイヤ、４は、スネアループ１０を構成する一対の弾性ワイヤ３と操作ワイヤ２とを連結する接続管である。
【０００４】
図１１に示されるように、従来の内視鏡用スネアにおいては、スネアループ１０を構成する一対の弾性ワイヤ３の先端部分３ａどうしが、スネアループ１０の膨縮面に対して同方向に隣接する位置関係で相互に固着されている。×印はその先端固着部であり、各弾性ワイヤ３は先端部分３ａの直後に形成された先端側曲げ部３ｂで大きく外方に曲げられている。
【０００５】
図１２は、そのような従来の内視鏡用スネアのスネアループ１０が可撓性シース１内に引き込まれた状態を示す平面断面図であり、可撓性シース１内に引き込まれたスネアループ１０は、各弾性ワイヤ３が弾性変形することにより窄まった状態になる。
【０００６】
その際に、一対の弾性ワイヤ３の先端部分３ａどうしがスネアループ１０の膨縮面と同方向に隣接する位置関係で固着されていることにより、先端部分３ａの近傍部分Ａにおいては弾性ワイヤ３同士が交差できずにぶつかり合う。
【０００７】
その結果、先端側曲げ部３ｂ付近が真っ直ぐに近い状態に伸ばされた状態になるため塑性変形し、スネアループ１０が次に可撓性シース１の先端から押し出された時に広がりが小さくなって、内視鏡用スネアとしての機能が低下してしまう場合がある。
【０００８】
そこで本発明は、スネアループがシース内に引き込まれた時に弾性ワイヤが先端側曲がり部付近で塑性変形を起こさず、使用を繰り返してもスネアループの広がりが縮小しない耐久性の優れた内視鏡用スネアを提供することを目的とする。
【課題を解決するための手段】
【０００９】
上記の目的を達成するため、本発明の内視鏡用スネアは、可撓性シース内に軸線方向に進退自在に操作ワイヤが挿通配置されて、一対の弾性ワイヤを先端と基端とで各々相互に固着して中間部分を曲げて形成されたスネアループが操作ワイヤの先端に連結され、操作ワイヤを軸線方向に進退操作することによりスネアループが可撓性シースの先端内に出入りして、スネアループが可撓性シース外では自己の弾性によって膨らみ、可撓性シース内に引き込まれることにより弾性変形して窄まるようにした内視鏡用スネアにおいて、スネアループを構成する一対の弾性ワイヤを、先端側の固着部においてスネアループの膨縮面に対して交差する方向に隣接する位置関係で相互に固着したものである。
【００１０】
なお、一対の弾性ワイヤが、先端側の固着部においてスネアループの膨縮面に対して略直交する方向に隣接する位置関係で相互に固着されているのが最もよく、一対の弾性ワイヤのうち一方の弾性ワイヤの最先端部分が、スネアループの膨縮面に対して交差する方向に折り曲げられていてもよい。
【発明の効果】
【００１１】
本発明によれば、スネアループを構成する一対の弾性ワイヤを、先端側の固着部においてスネアループの膨縮面に対して交差する方向に隣接する位置関係で相互に固着したことにより、スネアループがシース内に引き込まれた時に一対の弾性ワイヤ同士が先端部分の近傍でぶつかり合わずに交差するので、弾性ワイヤが先端側曲がり部付近で塑性変形を起こさず、使用を繰り返してもスネアループの広がりが縮小しない。
【発明を実施するための最良の形態】
【００１２】
可撓性シース内に軸線方向に進退自在に操作ワイヤが挿通配置されて、一対の弾性ワイヤを先端と基端とで各々相互に固着して中間部分を曲げて形成されたスネアループが操作ワイヤの先端に連結され、操作ワイヤを軸線方向に進退操作することによりスネアループが可撓性シースの先端内に出入りして、スネアループが可撓性シース外では自己の弾性によって膨らみ、可撓性シース内に引き込まれることにより弾性変形して窄まるようにした内視鏡用スネアにおいて、一対の弾性ワイヤが、先端側の固着部においてスネアループの膨縮面に対して略直交する方向に隣接する位置関係で相互に固着されている。
【実施例】
【００１３】
図面を参照して本発明の実施例を説明する。
図２は、内視鏡用スネアの全体構成を図示する平面図であり、内視鏡の処置具挿通チャンネルに挿脱される可撓性シース１は、例えば四フッ化エチレン樹脂チューブ等のような電気絶縁性の合成樹脂チューブによって形成されている。
【００１４】
可撓性シース１内には、導電性の操作ワイヤ２が軸線方向に進退自在に挿通配置されていて、スネアループ１０を形成する一対の導電性の弾性ワイヤ３の基端部分が操作ワイヤ２の先端に連結されている。
【００１５】
可撓性シース１の基端に連結された操作部２０の操作部本体２１には、図示されていない高周波電源コードを接続するための端子２３を有する操作片２２がスライド自在に取付けられていて、その端子２３に操作ワイヤ２の基端が連結されている。
【００１６】
したがって、スネアループ１０を構成する弾性ワイヤ３に操作ワイヤ２を介して高周波電流を通電することができ、操作部本体２１に対して操作片２２をスライド操作することにより操作ワイヤ２が進退し、弾性ワイヤ３が可撓性シース１の先端内に出入りすることによってスネアループ１０が膨縮する。
【００１７】
図１は、内視鏡用スネアの先端部分において、スネアループ１０を可撓性シース１の先端から少し引き出した状態を図示する斜視図であり、スネアループ１０を形成する一対の弾性ワイヤ３の基端部分が、操作ワイヤ２の先端に固着された金属製の接続管４に差し込まれて銀ロ−付け等によってそこに固着されている。
【００１８】
一対の弾性ワイヤ３の先端部分３ａは、前方に向けて並べられて銀ロー付け又はレーザ溶接等によって相互に固着されている。×印はその固着部であり、各弾性ワイヤ３は先端部分３ａの直後に形成された先端側曲げ部３ｂで大きく外方に曲げられている。
【００１９】
そのような一対の弾性ワイヤ３の先端部分３ａの固着部ではその正面図である図３にも図示されるように、一対の弾性ワイヤ３が、スネアループ１０の膨縮面Ｘと略直交する方向Ｙに隣接する位置関係で相互に固着されている。
【００２０】
その結果、図４に示されるように、操作ワイヤ２が操作部２０側から牽引されて一対の弾性ワイヤ３が可撓性シース１内に引き込まれて窄まった状態に弾性変形したとき、先端部分３ａの近傍部分Ａにおいて弾性ワイヤ３同士が交差してぶつかり合わないので、先端側曲げ部３ｂ部分付近が真っ直ぐに伸ばされることなく滑らかにカーブした状態で窄まり、塑性変形し難い。
【００２１】
したがって、次に操作ワイヤ２を操作部２０側から押し込み操作して一対の弾性ワイヤ３が可撓性シース１の先端から押し出された時には、弾性ワイヤ３の弾性によってスネアループ１０が元通りの所定の大きさに膨らみ、内視鏡用スネアとしての機能が低下しない。
【００２２】
図５は、本発明の第２の実施例の内視鏡用スネアの先端部分の斜視図であり、スネアループ１０を構成する一対の弾性ワイヤ３のうち一方の弾性ワイヤ３の最先端部分を側方（ただし、スネアループ１０の膨縮面Ｘに対して直交する方向Ｙ）に折り曲げたものである（最先端折り曲げ部３ｃ）。
【００２３】
このようにすることにより、図６に示されるように、弾性ワイヤ３に高周波電流を通電して最先端折り曲げ部３ｃを患部１００の粘膜に押し当てながら移動させて表面粘膜の高周波切開処置を行うことができ、図７に示されるように、スネアループ１０で患部１００を囲んで高周波粘膜切除処置を行う場合には、最先端折り曲げ部３ｃを粘膜に触れないように上向きにすればよい。５０は内視鏡、５１は処置具挿通チャンネルの出口開口である。
【００２４】
なお、最先端折り曲げ部３ｃの突端部を図８に示されるように丸まった形状に形成すれば可撓性シース１内に収納された時に可撓性シース１の内面を傷つけない。また、図９に示されるように最先端折り曲げ部３ｃをカーブしたフック状に形成してもよく、図１０に示されるように、スネアループ１０の膨縮面Ｘに直交する方向Ｙに対してある程度の角度θだけ偏角させてもよい。ただし、θは３０°以下が適当である。
【００２５】
なお、本発明は上記実施例に限定されるものではなく、例えば一対の弾性ワイヤ３の先端部分３ａの固着部分では、一対の弾性ワイヤ３をスネアループ１０の膨縮面に対して交差する方向に隣接する位置関係で相互に固着すればよく、必ずしも直交する方向に隣接する位置関係にしなくても差し支えない。また、高周波電流を通電しない機械式の内視鏡用スネアに本発明を適用しても差し支えない。
【図面の簡単な説明】
【００２６】
【図１】本発明の第１の実施例の内視鏡用スネアの先端部分のスネアループが可撓性シースの先端から少し引き出された状態の斜視図である。
【図２】本発明の第１の実施例の内視鏡用スネアの全体構成を示す平面図である。
【図３】本発明の第１の実施例の内視鏡用スネアの先端部分の正面図である。
【図４】本発明の第１の実施例の内視鏡用スネアの先端部分のスネアループが可撓性シース内に引き込まれて窄まった状態の平面断面図である。
【図５】本発明の第２の実施例の内視鏡用スネアの先端部分のスネアループが可撓性シースの先端から少し引き出された状態の斜視図である。
【図６】本発明の第２の実施例の内視鏡用スネアによる粘膜切開処置の状態を例示する斜視図である。
【図７】本発明の第２の実施例の内視鏡用スネアによる粘膜切除処置の状態を例示する斜視図である。
【図８】本発明の第２の実施例の内視鏡用スネアの弾性ワイヤの最先端折り曲げ部の第１の変形例を示す側面図である。
【図９】本発明の第２の実施例の内視鏡用スネアの弾性ワイヤの最先端折り曲げ部の第２の変形例を示す側面図である。
【図１０】本発明の第２の実施例の内視鏡用スネアの弾性ワイヤの最先端折り曲げ部の第３の変形例を示す正面図である。
【図１１】従来の内視鏡用スネアの先端部分のスネアループが可撓性シースの先端から少し引き出された状態の斜視図である。
【図１２】従来の内視鏡用スネアの先端部分のスネアループが可撓性シース内に引き込まれて窄まった状態の平面断面図である。
【符号の説明】
【００２７】
１  可撓性シース
２  操作ワイヤ
３  弾性ワイヤ
３ａ  先端部分
３ｂ  先端側曲げ部
３ｃ  最先端折り曲げ部
１０  スネアループ
Ｘ  膨縮面
Ｙ  膨縮面Ｘに対して直交する方向
【図１】
2005130965.tif 000003
【図２】
2005130965.tif 000004
【図３】
2005130965.tif 000005
【図４】
2005130965.tif 000006
【図５】
2005130965.tif 000007
【図６】
2005130965.tif 000008
【図７】
2005130965.tif 000009
【図８】
2005130965.tif 000010
【図９】
2005130965.tif 000011
【図１０】
2005130965.tif 000012
【図１１】
2005130965.tif 000013
【図１２】
2005130965.tif 000014